(57)【特許請求の範囲】
【請求項１】
撮影レンズを通過した被写体光束からの被写体像を撮像する第１の撮像手段と、
前記撮影レンズと前記第１の撮像手段との間の光路上において前記被写体光束を該第１の撮像手段に向かう光路と前記第１の撮像手段とは異なる方向の光路とに導くことが可能に構成された光路分岐手段と、
前記第１の撮像手段とは異なる方向の光路上に配置されたファインダ光学系と、
前記ファインダ光学系を構成する一部の光学素子に備わる光学面であって、前記光路分岐手段を介して反射された前記被写体光束からの被写体像が形成される１次結像面と、
前記ファインダ光学系の光路の途中で該ファインダ光学系の光路から外れる方向に分岐された光路上に配置されていて、前記１次結像面上に形成された被写体像を撮像する第２の撮像手段と、
前記１次結像面上に形成された被写体像を前記第２の撮像手段へ投影する再結像光学系と、
前記第１又は第２の撮像手段を介して撮像された被写体像を表示可能な被写体像表示手段を具備するとともに、
前記ファインダ光学系と前記再結像光学系を構成する一部の共通な光学手段として、撮影情報表示手段及び合焦箇所表示手段を具備し、
次の条件式(1)を満足することを特徴とするカメラ。
｜ＴＡＮ-1（ＯＢＪＨ／ＥＮＰ１）−ＴＡＮ-1（ＯＢＪＨ／ＥＮＰ２）｜≦２０°
…(1)
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【請求項２】
前記再結像光学系は、少なくとも正，負のレンズ各１枚を有し、次の条件式(2)を満足することを特徴とする請求項１に記載のカメラ。
１０  ≦  νｐ  −  νｎ                                …(2)
ただし、νｐは前記再結像光学系を構成するレンズのうち、正レンズのｄ線におけるアッべ数、νｎは前記再結像光学系を構成するレンズのうち、負レンズのｄ線におけるアッべ数である。
【請求項３】
前記再結像光学系は、少なくとも正レンズ２枚を有し、次の条件式(3)を満足することを特徴とする請求項１又は２に記載のカメラ。
５０  ≦  νｐｍｘ                                      …(3)
ただし、νｐｍｘは前記再結像光学系を構成するレンズのうち、最もパワーの大きい正レンズのｄ線におけるアッべ数である。
【請求項４】
前記再結像光学系は、少なくとも１枚以上のプラスチックレンズを含んでなることを特徴とする請求項１〜３のいずれかに記載のカメラ。
【請求項５】
前記再結像光学系は、少なくとも１枚以上の非球面レンズを含んでなることを特徴とする請求項１〜４のいずれかに記載のカメラ。
【請求項６】
前記第１の撮像手段に用いる撮像素子に比べて、前記第２の撮像手段に用いる撮像素子の方が小さいことを特徴とする請求項１〜５のいずれかに記載のカメラ。
【請求項７】
前記１次結像面の近傍には、集光作用をもつ面とマット面のうちの少なくとも一方が、該１次結像面と平行に配置され、次の条件式(1')を満足することを特徴とする請求項１〜６のいずれかに記載のカメラ。
｜ＴＡＮ-1（ＯＢＪＨ／ＥＮＰ１）−ＴＡＮ-1（ＯＢＪＨ／ＥＮＰ２）｜≦１５°
…(1')
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【請求項８】
前記ファインダ光学系及び前記再結像光学系は、複数の光学反射面を具備し、前記複数の光学反射面のうちのいずれかが、透光特性を有することを特徴とする請求項１〜７のいずれかに記載のカメラ。
【発明の詳細な説明】
【技術分野】
【０００１】
本発明は、カメラに関し、詳しくは、被写体像を撮影するための撮像手段の他に、例えば電子ビューファインダを介して撮影前の被写体像をモニタ等するための撮像手段を備えたカメラに関する。
【背景技術】
【０００２】
従来、この種のカメラとしては、例えば、次の特許文献１，２に記載のものが提案されている。
【特許文献１】特開平９−５８６６号公報
【特許文献２】特開２０００−１６５７３０号公報
【０００３】
特許文献１に記載のカメラは、撮影レンズを透過した被写体からの光束を、フィルムを介して撮影する光路の途中に光路分割手段を設けてフィルムとは異なる方向にも光路が形成されるように分割するとともに、フィルムとは異なる方向に分割された光路上に光路屈曲手段を設けて光束を折り曲げ、折り曲げた光路上に撮像素子を備えている。
【０００４】
特許文献２に記載のカメラは、撮影レンズを透過した被写体からの光束を、第１の撮像素子を介して撮像する光路の途中に第１の光路変更手段を設けて第１の撮像素子とは異なる方向にも光路を切り替え可能に構成するとともに、第１の撮像素子とは異なる方向に切り替えられた光路上に第２の撮像素子と光学ファインダとに光路を切り替え可能な第２の光路変更手段を備え、第２の光路変更手段で切り替えられたそれぞれの光路上に、第２の撮像素子と、光学ファインダをそれぞれ備えている。
【発明の開示】
【発明が解決しようとする課題】
【０００５】
しかし、特許文献１，２に記載されているような、被写体像を撮影するための撮影手段の他に、撮影前の被写体像をモニタ等するための撮像手段を備えた従来のカメラにおいては、モニタに用いる撮像手段で撮像された被写体像の画面周辺部において光線のケラレや周辺光量の低下が生じやすいという問題があった。
特に、モニタ用の撮像手段を用いた液晶ファインダと光学ファインダの両方を備えたカメラにおいては、液晶ファインダと光学ファインダの両方の観察画面周辺部における光線のケラレや周辺光量の低下を抑えることが難しい。しかし、液晶ファインダと光学ファインダを備えた特許文献２に記載のカメラでは、その両方のファインダを介して観察される被写体像について観察画面の周辺部まで高精度に取り入れるための手段については提案されていない。
【０００６】
しかも、特許文献１，２に記載されているような、被写体像を撮影するための撮影手段の他に、撮影前の被写体像をモニタ等するための撮像手段を備えたカメラでは、モニタ用の撮像素子を設けることにより、その分、部品点数が増大し、コスト高となる上、大型化してしまい易いという問題があった。
【０００７】
本発明は上記従来の問題点に鑑みてなされたものであり、被写体像を撮影するための光路とは別の光路上に被写体像をモニタ等するための撮像手段を備えたカメラにおいて、画面周辺部で生じる光線のケラレや周辺光量の低下を極力抑えて、被写体像の観察を高精度に行うことが可能で、且つ、構成部材を効率的にレイアウトでき、小型化、低コスト化にも寄与できるカメラを提供することを目的とする。
【課題を解決するための手段】
【０００８】
上記目的を達成するため、本発明によるカメラは、撮影レンズを通過した被写体光束からの被写体像を撮像する第１の撮像手段と、前記撮影レンズと前記第１の撮像手段との間の光路上において前記被写体光束を該第１の撮像手段に向かう光路と前記第１の撮像手段とは異なる方向の光路とに導くことが可能に構成された光路分岐手段と、前記第１の撮像手段とは異なる方向の光路上に配置されたファインダ光学系と、前記ファインダ光学系を構成する一部の光学素子に備わる光学面であって、前記光路分岐手段を介して反射された前記被写体光束からの被写体像が形成される１次結像面と、前記ファインダ光学系の光路の途中で該ファインダ光学系の光路から外れる方向に分岐された光路上に配置されていて、前記１次結像面上に形成された被写体像を撮像する第２の撮像手段と、前記１次結像面上に形成された被写体像を前記第２の撮像手段へ投影する再結像光学系と、前記第１又は第２の撮像手段を介して撮像された被写体像を表示可能な被写体像表示手段を具備するとともに、前記ファインダ光学系と前記再結像光学系を構成する一部の共通な光学手段として、撮影情報表示手段及び合焦箇所表示手段を具備し、次の条件式(1)を満足することを特徴としている。
｜ＴＡＮ-1（ＯＢＪＨ／ＥＮＰ１）−ＴＡＮ-1（ＯＢＪＨ／ＥＮＰ２）｜≦２０°
…(1)
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【０００９】
また、本発明のカメラにおいては、前記再結像光学系は、少なくとも正，負のレンズ各１枚を有し、次の条件式(2)を満足するのが好ましい。
１０  ≦  νｐ  −  νｎ                                …(2)
ただし、νｐは前記再結像光学系を構成するレンズのうち、正レンズのｄ線におけるアッべ数、νｎは前記再結像光学系を構成するレンズのうち、負レンズのｄ線におけるアッべ数である。
【００１０】
また、本発明のカメラにおいては、前記再結像光学系は、少なくとも正レンズ２枚を有し、次の条件式(3)を満足するのが好ましい。
５０  ≦  νｐｍｘ                                      …(3)
ただし、νｐｍｘは前記再結像光学系を構成するレンズのうち、最もパワーの大きい正レンズのｄ線におけるアッべ数である。
【００１１】
また、本発明のカメラにおいては、前記再結像光学系は、少なくとも１枚以上のプラスチックレンズを含んでなるのが好ましい。
【００１２】
また、本発明のカメラにおいては、前記再結像光学系は、少なくとも１枚以上の非球面レンズを含んでなるのが好ましい。
【００１３】
また、本発明のカメラにおいては、前記第１の撮像手段に用いる撮像素子に比べて、前記第２の撮像手段に用いる撮像素子の方が小さいのが好ましい。
【００１５】
また、本発明のカメラにおいては、前記１次結像面の近傍には、集光作用をもつ面（例えば、後述するフレネルレンズ面）とマット面のうちの少なくとも一方が、該１次結像面と平行に配置され、次の条件式(1')を満足するのが好ましい。
｜ＴＡＮ-1（ＯＢＪＨ／ＥＮＰ１）−ＴＡＮ-1（ＯＢＪＨ／ＥＮＰ２）｜≦１５°
…(1')
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【００１６】
また、本発明のカメラにおいては、前記ファインダ光学系及び前記再結像光学系は、複数の光学反射面を具備し、前記複数の光学反射面のうちのいずれかが、透光特性を有するのが好ましい。
【発明の効果】
【００３２】
本発明によれば、被写体像を撮影するための光路とは別の光路上に被写体像をモニタするための撮像手段を備えたカメラにおいて、画面周辺部で生じる光線のケラレや周辺光量の低下を極力抑えて、例えば、液晶ビューファインダを用いて（光学ファインダを備えた構成の場合には液晶ビューファインダと光学ファインダのいずれを用いても）、被写体観察を高精度に行うことが可能で、且つ、構成部材を効率的にレイアウトでき、小型化、低コスト化にも寄与できるカメラが得られる。
【発明を実施するための最良の形態】
【００３３】
実施形態の説明に先立ち、本発明の作用効果について説明する。
本発明のカメラは、撮影レンズを通過した被写体光束からの被写体像を撮像する第１の撮像手段と、前記撮影レンズと前記第１の撮像手段との間の光路上において前記被写体光束を該第１の撮像手段に向かう光路と該第１の撮像手段とは異なる方向の光路とに導くことが可能に構成された光路分岐手段と、前記第１の撮像手段とは異なる方向の光路上に配置されたファインダ光学系と、前記ファインダ光学系を構成する一部の光学素子に備わる光学面であって、前記光路分岐手段を介して反射された前記被写体光束からの被写体像が形成される１次結像面と、前記ファインダ光学系の光路の途中で該ファインダ光学系の光路から外れる方向に分岐された光路上に配置されていて、前記１次結像面上に形成された被写体像を撮像する第２の撮像手段と、前記１次結像面上に形成された被写体像を前記第２の撮像手段へ投影する再結像光学系と、前記第１又は第２の撮像手段を介して撮像された被写体像を表示可能な被写体像表示手段を具備するとともに、前記ファインダ光学系と前記再結像光学系を構成する一部の共通な光学手段として、撮影情報表示手段及び合焦箇所表示手段を具備し、次の条件式(1)を満足することを特徴としている。
｜ＴＡＮ‐1（ＯＢＪＨ／ＥＮＰ１）−ＴＡＮ‐1（ＯＢＪＨ／ＥＮＰ２）｜≦２０°
…(1)
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【００３４】
上記条件式(1)の上限値を上回ると、ファインダ光学系の入射瞳位置と、第２の撮像手段に投影する再結像光学系の入射瞳位置との差が大きくなり過ぎる。すると、ファインダを介して観察される被写体像又は第２の撮像手段を介して撮像される被写体像において、画面周辺部に光線のケラレや顕著な周辺光量の低下が生じ易くなり、光学ファインダや液晶ビューファインダを用いた観察に支障を来たす等の実用上の問題が生じ易くなってしまう。
【００３５】
なお、本発明のカメラにおいては、再結像光学系の全部又は一部が、ファインダ光学系を構成する光学部材として共用されるように構成するのが好ましい。
そのようにすれば、カメラ全体を構成するための光学部材の数を節約することができ、カメラ筐体の小型化や低コスト化を実現できる。
そして、本発明のカメラは、上述したように、前記ファインダ光学系と前記再結像光学系を構成する一部の共通な光学手段として、撮影情報表示手段及び合焦箇所表示手段を具備する。
このように構成すれば、カメラ全体を構成するための光学部材の数を節約し、カメラ筐体の小型化や低コスト化を実現しながら、前記ファインダ光学系及び前記再結像光学系を介して１次結像面上に形成された被写体像データを確認すると同時に、撮影情報表示手段及び合焦箇所表示手段を介してシャッタスピードやＦｎｏ等の情報及び合焦箇所を確認することができる。
【００３６】
また、本発明のカメラにおいては、前記再結像光学系は、少なくとも正，負のレンズ各１枚を有し、次の条件式(2)を満足するのが好ましい。
１０  ≦  νｐ  −  νｎ                                …(2)
ただし、νｐは前記再結像光学系を構成するレンズのうち、正レンズのｄ線におけるアッべ数、νｎは前記再結像光学系を構成するレンズのうち、負レンズのｄ線におけるアッべ数である。
【００３７】
上記条件式(2)の下限値を下回ると、正，負のレンズによる色消し効果が低減するため色収差が増大し、モニタ表示用撮像素子の画素ピッチに相当する必要十分な解像力を得ることが困難になってしまう。
【００３８】
また、本発明のカメラにおいては、前記再結像光学系は、少なくとも正レンズ２枚を有し、次の条件式(3)を満足するのが好ましい。
５０  ≦  νｐｍｘ                                     …(3)
ただし、νｐｍｘは前記再結像光学系を構成するレンズのうち、最もパワーの大きい正レンズのｄ線におけるアッべ数である。
【００３９】
上記条件式(3)の下限値を下回ると、前記最もパワーの大きい正レンズによる分散が大きくなるため色収差が増大し、モニタ表示用撮像素子の画素ピッチに相当する必要十分な解像力を得ることが困難になってしまう。
【００４０】
また、本発明のカメラにおいては、前記再結像光学系は、少なくとも１枚以上のプラスチックレンズを含んでなるのが好ましい。
【００４１】
プラスチックレンズを用いれば、ガラスレンズを用いた場合と比べて、安価で必要十分な性能を確保することができる。
【００４２】
また、本発明のカメラにおいては、前記再結像光学系は、少なくとも１枚以上の非球面レンズを含んでなるのが好ましい。
【００４３】
非球面レンズを用いれば、少ないレンズ枚数でもって必要十分な性能を確保することができるので、カメラ筐体の小型化や低コストを実現できる。
【００４４】
また、本発明のカメラにおいては、前記第１の撮像手段に用いる撮像素子に比べて、前記第２の撮像手段に用いる撮像素子の方が小さいのが好ましい。
【００４５】
小さい撮像素子を用いれば、光線束を小さくすることができ、カメラのサイズを小型化することができる。
また、小さい撮像素子を用いた方が電力消費を抑えることができ、撮影可能枚数を極力増やすために有利となる。
また、前記再結像光学系による倍率が１未満となり、前記再結像光学系の主点位置を第２の撮像手段側にすることができ、レイアウト上有利となる。例えば、ファインダ光学系の光路から分岐された光路上に、第２の撮像手段に被写体像を結像させるための撮像レンズなどのレンズ素子を配置させ易くなる。
【００４８】
また、本発明のカメラにおいては、前記１次結像面の近傍には、集光作用をもつ面とマット面のうちの少なくとも一方を、該１次結像面と平行に配置し、次の条件式(1')を満足するのが好ましい。
｜ＴＡＮ-1（ＯＢＪＨ／ＥＮＰ１）−ＴＡＮ-1（ＯＢＪＨ／ＥＮＰ２）｜≦１５°
…(1')
ただし、ＥＮＰ１は前記再結像光学系の入射瞳から前記１次結像面上に形成された被写体像までの光軸上の距離、ＥＮＰ２は前記ファインダ光学系の入射瞳から前記１次結像面上に形成された被写体像までの光軸上の距離である。また、ここでの前記ファインダ光学系のアイポイントは、該ファインダ光学系の最終面から観察側へ向かって０〜５０ｍｍの範囲内の任意の値とする。ＯＢＪＨは前記１次結像面上における最大有効光線高である。
【００４９】
前記１次結像面の近傍に集光作用をもつ面を該１次結像面と平行に配置すれば、収差変動を最小限に抑え、且つ前記被写体光束が、前記ファインダ光学系及び前記再結像光学系の各入射瞳に向かうよう屈折し、ファインダ及び第２の撮像手段で取得される像データの画面周辺部に光線のケラレや顕著な周辺光量低下が生じないようにすることができる。
また、前記１次結像面の近傍にマット面を該１次結像面と平行に配置すれば、前記被写体像の拡散による劣化を最小限に抑え、且つマット面の拡散により前記被写体光束が、前記ファインダ光学系及び前記再結像光学系の各入射瞳に入射し、ファインダ及び第２の撮像手段で取得される像データの画面周辺部に光線のケラレや顕著な周辺光量低下が生じないようにすることができる。
さらに、上記条件式(1')を満足すれば、ファインダ光学系及び第２の撮像手段である各光学系の入射瞳位置の差が小さくなり、集光作用をもつ面の屈折やマット面の拡散の影響を前記被写体光束が受けても、ファインダおよび第２の撮像手段で取得される像データの画面周辺部に光線のケラレや顕著な周辺光量低下を生じにくくすることができる。
【００５０】
また、本発明のカメラにおいては、前記ファインダ光学系及び前記再結像光学系は、複数の光学反射面を具備し、前記複数の光学反射面のうちのいずれかが、透光特性を有するのが好ましい。
【００５１】
このように構成すれば、撮影レンズによって反転している被写体像を光路分岐手段と複数の光学反射面を介して正立像とすることができる。また、記複数の光学反射面のうちのいずれかに透光特性を持たせれば、ファインダ光学系と第２の撮像手段とがコンパクトに配置できるように、一部の光路を共有して途中で光路を分岐することができる。
【００７６】
また、本発明のカメラにおいては、前記ファインダ光学系の光路の途中で前記第２の撮像手段へ向かう光路と前記ファインダ光学系の最終面へ向かう光路とに切り替え可能な第２の光路分岐手段を有し、前記第２の光路分岐手段を介して前記第２の撮像手段へ向かう光路に切り替えたときに、前記撮像情報表示手段及び合焦箇所表示手段の表示作動がオフになるようにするのが好ましい。
【００７７】
第２の撮像手段へ向かう光路に切り替わっているときは、撮影情報表示手段及び合焦箇所表示手段の表示作動をオンにして撮影前の被写体像に撮影情報や合焦箇所等を付加しなくても、公知の画像処理手段を用いて、第２の撮像手段を介して撮像した被写体画像に所望の情報を付加して画像を表示または記録することが可能である。
そこで、第２の撮像手段へ向かう光路に切り替えたときに、撮影情報表示手段及び合焦箇所表示手段の表示作動がオフになるようにすれば、その分、消費電力の節約になる。
【００７８】
また、一般に光学ファインダ（ＯＶＦ）では、人の眼の焦点調節機能を前提とできる。このため、本発明のようなカメラにおけるファインダ光学系では、スクリーンマットと、撮影情報表示手段、合焦箇所表示手段との位置ずれの許容量を大きくとることができる。
従って、第２の撮像手段へ向かう光路に切り替えたときに、撮影情報表示手段及び合焦箇所表示手段の表示作動がオフになるようにすれば、撮影情報表示手段及び合焦箇所表示手段の配置を、位置ずれの許容量の大きい光学ファインダとして用いる光路上で設計すればよいため、撮影情報表示手段及び合焦箇所表示手段の配置が容易になり、レイアウト設計及び組み立てに有利となる。
【００７９】
なお、本発明のカメラにおける撮影情報表示手段及び合焦箇所表示手段は、光学ファインダ用に配置される表示手段である。撮影情報表示手段は、シャッタスピードやＦｎｏ、撮影可能残枚数等の情報を被写体像の端や外部に表示する機能を備えている。また、合焦箇所表示手段は、複数の合焦設定点（多点測距）のうち、ピントを合わせようとする位置やピントのあっている位置を表示するものであり、例えば、被写体像に重ねてマークを提示する機能を備えている。
【００８４】
（第１実施形態）
次に、本発明の実施形態について図面を用いて説明する。
図１は本発明の第１実施形態にかかるカメラにおける撮影前の被写体観察時の光学部材の配置関係を示す概略構成図、図２は図１のカメラにおける被写体撮影時の光学部材の配置関係を示す概略構成図である。
【００８５】
第１実施形態のカメラは、撮影レンズ１１と、第１の撮像手段としての第１撮像素子１２と、光路分岐手段としての第１反射ミラー１３と、ファインダ光学系２０と、１次結像面としてのスクリーンマット２１と、第２の撮像手段としての第２撮像素子１４と、再結像光学系３０と、第１撮像素子１２又は第２撮像素子を介して撮像された被写体像を表示可能な被写体像表示手段（図示省略）を有して構成されている。
【００８６】
第１撮像素子１２は、ＣＣＤやＣＭＯＳなどの固体撮像素子で構成されており、撮影レンズ１１を通過した被写体光束からの被写体像を撮像する機能を備えている。
【００８７】
第１反射ミラー１３は、撮影レンズ１１と第１撮像素子１２との間に配置されており、軸１３ａを中心として回転可能な可動式のミラーとして構成されている。そして、第１反射ミラー１３は、第１撮像素子１２に撮影レンズ１１からの光束を導くときには、撮影レンズ１１から第１撮像素子１２に至る光路から退避し、一方、ファインダ光学系２０又は再結像光学系３０に光束を導くときには、撮影レンズ１１から第１撮像素子１２に至る光路上に挿入されるようになっており、光路切り替え手段としての機能を備えている。第１反射ミラー１３は、ファインダ光学系２０又は再結像光学系３０に光束を導くために上記光路上に挿入されたときには、入射光束を撮影レンズ１１の光軸に対して略９０°の角度で反射する。
【００８８】
ファインダ光学系２０は、第１反射ミラー１３で反射されることによって形成される、第１撮像素子１２とは異なる方向の光路上に配置されており、スクリーンマット２１と、第２反射ミラー２２と、第３反射ミラー２３と、第４反射ミラー２４と、接眼レンズ系２５を有して構成されている。
【００８９】
スクリーンマット２１は、第１反射ミラー１３を介して反射された被写体光束からの被写体像が形成される位置に配置されている。また、スクリーンマット２１は、透過した光のうち可視波長域の光をファインダ光学系２０及び再結像光学系３０の光路へ導くとともに、それ以外の所定波長の光（例えば赤外光）を、これらの光路とは別個に後述の測光手段の光路へ導くことができる回折面を備えて構成されている。
【００９０】
第２反射ミラー２２は、ハーフミラーで構成されている。また、第２反射ミラー２２は、第１反射ミラー１３が撮影レンズ１１から第１撮像素子１２に至る光路上に挿入されたときの第１反射ミラー１３の反射光軸上に配置されている。そして、第２反射ミラー２２は、第１反射ミラー１３を介して反射された光束を該第１反射ミラー１３の反射光軸に対して略９０°の角度で反射する。
【００９１】
第３反射ミラー２３は、第２反射ミラー２２の反射光軸上に配置されている。そして、第３反射ミラー２３は、第２反射ミラー２２の反射光軸に対して略９０°の角度で反射する。
【００９２】
第４反射ミラー２４は、ハーフミラーで構成されている。また、第４反射ミラー２４は、第３反射ミラー２３の反射光軸上に配置されている。そして、第４反射ミラー２４は、入射光束の一部を、第３反射ミラー２３の反射光軸に対して略９０°の角度で反射し、それ以外の入射光束を透過する。
【００９３】
第２撮像素子１４は、ファインダ光学系２０の光路の途中で、入射光束が第４反射ミラー２４を透過することによって、ファインダ光学系２０の光路から外れる光路上に配置されている。そして、スクリーンマット２１上に形成された被写体像を撮像するように構成されている。
【００９４】
再結像光学系３０は、第２ミラー２２と、第３ミラー２３と、第４ミラー２４と、撮像レンズ系３１と、ミラー３２を有して構成されている。撮像レンズ系３１と、ミラー３２は、光束が第４ミラー２４を透過することによって、上記ファインダ光学系２０の光路から外れる光路上に配置されている。そして、再結像光学系３０は、スクリーンマット２１上に形成された被写体像を第２撮像素子１４へ投影する。
【００９５】
被写体像表示手段（図示省略）は、液晶モニタで構成されており、接眼レンズ系２５の下方であって、第１撮像素子１２の背部に配置されている。そして、第２撮像素子１４で撮像した被写体像を表示することによって、撮影前の被写体像のフレーム内での位置をモニタできる。また、第１撮像素子１２で撮像した被写体像を表示することによって撮影後の記録画像を確認することができる。これらの表示の切り替えは、図示省略した公知の切り替え制御手段を用いて行うことができるようになっている。
【００９６】
また、本実施形態のカメラは、このような構成において次の条件式(1)を満足している。
｜ＴＡＮ-1（ＯＢＪＨ／ＥＮＰ１）−ＴＡＮ-1（ＯＢＪＨ／ＥＮＰ２）｜≦２０°
…(1)
ただし、ＥＮＰ１は再結像光学系３０の入射瞳からスクリーンマット２１（１次結像面）上に形成された被写体像までの光軸上の距離、ＥＮＰ２はファインダ光学系２０の入射瞳からスクリーンマット２１（１次結像面）上に形成された被写体像までの光軸上の距離である。また、ここでのファインダ光学系２０のアイポイントは、ファインダ光学系２０の最終面から観察側へ向かって０〜５０ｍｍの範囲内の任意の値とする。ＯＢＪＨはスクリーンマット２１（１次結像面）上における最大有効光線高である。
【００９７】
さらに、本実施形態のカメラは、好ましくは、以下の構成を備えている。
再結像光学系３０は、少なくとも正，負のレンズ各１枚を有し、次の条件式(2)を満足している。
１０  ≦  νｐ  −  νｎ                                …(2)
ただし、νｐは再結像光学系３０を構成するレンズのうち、正レンズのｄ線におけるアッべ数、νｎは再結像光学系３０を構成するレンズのうち、負レンズのｄ線におけるアッべ数である。
【００９８】
また、再結像光学系３０は、少なくとも正レンズ２枚を有し、次の条件式(3)を満足している。
５０  ≦  νｐｍｘ                                      …(3)
ただし、νｐｍｘは再結像光学系３０を構成するレンズのうち、最もパワーの大きい正レンズのｄ線におけるアッべ数である。
【００９９】
また、再結像光学系３０は、少なくとも１枚以上のプラスチックレンズを含んで構成されている。
また、再結像光学系３０は、少なくとも１枚以上の非球面レンズを含んで構成されている。
さらに、第２撮像素子１４には、第１撮像素子１２に比べて大きさが小さい固体撮像素子が用いられている。
【０１００】
さらに、本実施形態のカメラは、ファインダ光学系２０と再結像光学系３０を構成する共通な光学手段として、撮影情報表示手段４１と、合焦箇所表示手段４２を有している。
【０１０１】
撮影情報表示手段４１は、シャッタスピード、Ｆｎｏ、撮影可能残枚数等の撮影に関連する情報を、被写体像の端や外部に重ねて表示する機能を備えている。
【０１０２】
合焦箇所表示手段４２は、例えばＬＥＤなどの光源を備えて構成されており複数の合焦設定点（多点測距）のうち、ピントを合わせようとする位置やピントのあっている位置等の合焦に関する位置を示す所定のマークを、被写体像に重ねて提示する機能を備えている。
【０１０３】
本実施形態のカメラでは、撮影情報表示手段４１及び合焦箇所表示手段４２は、第２反射ミラー２２を隔ててスクリーンマット２１とは反対側に配置されている。また、それぞれ、射出光の光軸が、第２反射ミラー２２の反射光軸に沿うように向きを調整されている。そして、撮影情報表示手段４１及び合焦箇所表示手段４２から出射した光は、第２反射ミラー２２を介して反射された被写体像の所定箇所に重ね合わされるようになっている。
【０１０４】
さらに、本実施形態のカメラでは、測光手段として、測光レンズ５１と、測光用撮像素子５２を有している。
測光レンズ５１は、撮像レンズ系３１の近傍であって、撮像レンズ系３１への入射光軸からやや撮影レンズ１１側にずれた位置に配置されている。側光用撮像素子５２は、ＣＣＤ等の固体撮像素子で構成されており、測光レンズ５１を通過した光を受光する。
【０１０５】
このように構成された本実施形態のカメラでは、被写体観察時には、図１に示すように、第１反射ミラー１３が、ファインダ光学系２０又は再結像光学系３０に光束を導くために、光路上に挿入され、撮影レンズ１１の光軸に対して略９０°の角度に回転して入射光束を反射する。第１反射ミラー１３を介して反射された被写体からの光束は、スクリーンマット２１上で結像した後、第２反射ミラー２２、第３反射ミラー２３でそれぞれ反射されて第４反射ミラー２４に入射する。第４反射ミラー２４に入射した被写体からの光束の一部は第４反射ミラー２４で反射されて、接眼レンズ系２５に入射し、接眼レンズ系２５を介して観察者の眼に結像される。一方、第４反射ミラー２４を透過した被写体からの光束は、撮像レンズ系３１、ミラー３２を経て第２撮像素子１４の撮像面に結像し撮像される。
撮像された被写体像は、図示省略した液晶モニタに表示される。
【０１０６】
なお、スクリーンマット２１を透過する光のうち所定波長の光（例えば赤外光）は、ファインダ光学系２０及び再結像光学系３０の光軸から所定量ずれて回折される。そして、第２反射ミラー２２、第３反射ミラー２３で反射される。そして、第４反射ミラー２４を透過した光が、測光レンズ５１を経て測光用撮像素子５２で受光される。測光用撮像素子５２で受光された光量情報は図示省略した公知の演算制御手段に伝送される。演算制御手段は、光量情報に基づいてシャッタスピード等や絞りを制御する。
【０１０７】
また、被写体観察時には、撮影情報表示手段４１が、シャッタスピード、Ｆｎｏ、撮影可能残枚数等の撮影に関連する情報を備えた光を、被写体像の端や外部に重なるように出射する。また、合焦箇所表示手段４２が、複数の合焦設定点（多点測距）のうち、ピントを合わせようとする位置やピントのあっている位置等の合焦に関する位置を示す所定のマークを光として、被写体像に重なるように出射する。
撮影情報表示手段４１及び合焦箇所表示手段４２から出射した光は、第２反射ミラー２２を透過して、被写体からの光束と重ね合わせられる。
【０１０８】
一方、撮影時には、図２に示すように、第１反射ミラー１３が、撮影レンズ１１から第１撮像素子１２に至る光路から退避する。これにより撮影レンズ１１を経た被写体からの光束は、第１撮像素子を介して撮像される。
【０１０９】
このとき本実施形態のカメラによれば、上記条件式(1)を満足したので、ファインダ光学系２０の入射瞳位置と、第２撮像素子１４に投影する再結像光学系３０の入射瞳位置との差が大きくなり過ぎず、ファインダ光学系２０を介して観察される被写体像又は第２撮像素子１４を介して撮像される被写体像において、画面周辺部に光線のケラレや顕著な周辺光量の低下が生じるのを抑えることができ、光学ファインダや液晶ビューファインダを用いた観察に支障を来たす等の実用上の問題が生じるのを抑えることができる。
【０１１０】
また、本実施形態のカメラによれば、再結像光学系３０が少なくとも正，負のレンズ各１枚を有する構成において、次の条件式(2)を満足するようにすることで、正，負のレンズによる色消し効果の低減による色収差の増大を抑えることができ、モニタ表示用撮像素子の画素ピッチに相当する必要十分な解像力を得ることができる。
【０１１１】
また、本実施形態のカメラによれば、再結像光学系３０が少なくとも正レンズ２枚を有する構成において、次の条件式(3)を満足するようにすることで、最もパワーの大きい正レンズによる分散が大きくなることによる色収差の増大を抑えることができ、モニタ表示用撮像素子の画素ピッチに相当する必要十分な解像力を得ることができる。
【０１１２】
また、本実施形態のカメラによれば、再結像光学系３０を、少なくとも１枚以上のプラスチックレンズを含んで構成することで、ガラスレンズを用いた場合と比べて、安価で必要十分な性能を確保することができる。
【０１１３】
また、本実施形態のカメラによれば、前記再結像光学系を、少なくとも１枚以上の非球面レンズを含んで構成することで、少ないレンズ枚数でもって必要十分な性能を確保することができ、カメラ筐体の小型化や低コストを実現できる。
【０１１４】
また、本実施形態のカメラによれば、第１の撮像手段に用いる第１撮像素子１２に比べて、第２の撮像手段に用いる第２撮像素子１４の方を小さくすることで、その分、光線束を小さくすることができ、カメラのサイズを小型化することができる。また、小さい撮像素子を用いることで、電力消費を抑えることができ、撮影可能枚数を極力増やすために有利となる。また、再結像光学系３０による倍率が１未満となり、再結像光学系３０の主点位置を第２の撮像手段（第２の撮像素子１４）側に配置でき、レイアウト上有利となる。例えば、ファインダ光学系の光路から分岐された光路上にレンズ素子を配置しやすくなる。
【０１１５】
また、本実施形態のカメラによれば、ファインダ光学系２０と再結像光学系３０を構成する一部の共通な光学手段として、撮影情報表示手段４１及び合焦箇所表示手段４２を具備することで、ファインダ光学系２０及び再結像光学系３０を介して１次結像面（スクリーンマット２１）上に形成された被写体像データを確認すると同時に、撮影情報表示手段４１を介して光学情報、合焦箇所表示手段４２を介して合焦箇所を確認することができる。
【０１１６】
また、本実施形態のカメラによれば、１次結像面がスクリーンマット１２であって、１次結像面と平行にマット面を配置し、条件式(1')を満足することで、被写体像の拡散による劣化を最小限に抑え、且つマット面の拡散により被写体光束が、ファインダ光学系２０及び再結像光学系３０の各入射瞳に入射し、ファインダ及び第２の撮像手段を介して撮像される画像の画面周辺部に光線のケラレや顕著な周辺光量低下が生じないようにすることができる。また、上記条件式(1')を満足することで、ファインダ光学系２０及び第２の撮像手段である各光学系の入射瞳位置の差が小さくなり、集光作用をもつ面の屈折やマット面の拡散の影響を被写体光束が受けても、ファインダおよび第２の撮像手段を介して撮像される画像の画面周辺部に光線のケラレや顕著な周辺光量低下を生じにくくすることができる。
【０１１７】
（第２実施形態）
図３は本発明の第２実施形態にかかるカメラにおける光学部材の配置関係を示す概略構成図である。
【０１１８】
第２実施形態のカメラでは、第１反射ミラー１３の代わりに、ハーフミラーで構成された第１反射ミラー１３’が、撮影レンズ１１と第１撮像素子１２との間の光路上に固定されている。
第１反射ミラー１３’は、撮影レンズ１１からの入射光束の一部を透過して、第１撮像素子１２に導くと同時に、その他の入射光束を撮影レンズ１１の光軸に対して略９０°の角度で反射して、ファインダ光学系２０又は再結像光学系３０に光束を導くように配置されており、光路分割手段としての機能を備えている。
【０１１９】
また、本実施形態のカメラでは、撮影情報表示手段４１及び合焦箇所表示手段４２は、スクリーンマット２１の面に対して平行に配置されている。
合焦箇所表示手段４２は、平行平板状の表示板（例えば、透過型ＬＣＤなどの透過式スクリーン）で構成されており、スクリーンマット２１に対向配置されている。
【０１２０】
さらに、本実施形態のカメラでは、測光レンズ５１は、撮像レンズ３１の近傍であって、撮像レンズ３１への入射光軸からやや接眼レンズ系２５側にずれた位置に配置されている。
また、スクリーンマット２１は、透過した光のうち可視波長域の光をファインダ光学系２０及び再結像光学系３０の光路へ導くとともに、それ以外の所定波長の光（例えば赤外光）を、これらの光路とは別個に測光手段の光路へ導くことができるように、第１実施形態とは異なる回折角の回折面を備えて構成されている。
そして、スクリーンマット２１を透過する光のうち所定波長の光（例えば赤外光）は、ファインダ光学系２０及び再結像光学系３０の光軸から所定量ずれて回折され、第２反射ミラー２２、第３反射ミラー２３、測光レンズ５１を経て測光用撮像素子５２で受光されるようになっている。
【０１２１】
その他、第２撮像素子１４は、撮像レンズ３１に対向配置されており、第１実施形態のカメラにおけるミラー３２を備えていない。
それ以外の構成及び作用効果は、第１実施形態のカメラとほぼ同じである。
【０１２２】
（第３実施形態）
図４は本発明の第３実施形態にかかるカメラにおける光学ファインダで被写体を観察するときの光学部材の配置関係を示す概略構成図、図５は図４のカメラにおける第２撮像素子で撮像された被写体像をモニタ観察するときの光学部材の配置関係を示す概略構成図である。
【０１２３】
第３実施形態のカメラでは、図３で示した第２実施形態のカメラにおける第４反射ミラー２４の代わりに、第２の光路分岐手段として、第４反射ミラー２４’が設けられている。
第４反射ミラー２４’は、軸２４ａ’を中心に回転可能な可動式のミラーとして構成されている。そして、第４反射ミラー２４’は、接眼レンズ系２５に光束を導くときには、図４に示すように、第３反射ミラー２３から第２撮像素子１４に至る光路上に挿入され、一方、第２撮像素子１４に撮影レンズ１１からの光束を導くときには、図５に示すように、第３反射ミラー２３から第２撮像素子１４に至る光路から退避するようになっており、光路切り替え手段としての機能を備えている。
その他の構成及び作用効果は第２実施形態のカメラとほぼ同じである。
【０１２４】
なお、これら第１〜第３実施形態のカメラにおいては、第２撮像素子１４への光路上に配置されている１次結像面としてのスクリーンマット２１には、拡散機能を持たせてもよいし、例えば、拡散性がないか又は少ない素通し板からなる透過機能を持たせてもよい。
また、必要に応じてこの１次結像面近傍（スクリーンマット２１における１次結像面とは反対側）に集光作用をもつ面（例えば、フレネルレンズ面など）を備えてもよい。
また、第３実施形態のカメラにおいて、第３反射ミラー２３が第２撮像素子１４に至る光路上に挿入されているときには、撮影情報表示手段４１と合焦箇所表示手段４２の表示作動がオフになるように制御する、図示省略した公知の制御手段を備えて構成してもよい。
【実施例１】
【０１２５】
次に、本発明の実施例について図面を用いて説明する。
図６は本発明の実施例１にかかるカメラにおける再結像光学系３０の光学構成を示す光軸に沿う断面図であり、図７は図６に示した再結像光学系３０の諸収差図である。なお、図６では便宜上、光軸を直線に変換して光学構成を示してある。また、ミラーは省略し、実質的に撮像レンズ系３１の構成を示してある。また、球面収差と倍率色収差は、５８７．６ｎｍ（ｄ線：実線）、４８６．１ｎｍ（F線：点線）、６５６．３ｎｍ（Ｃ線：一点鎖線）の各波長における数値を示してある。
【０１２６】
本実施例のカメラは、基本的な光学部材の配置構成については、上記第１〜第３実施形態のいずれかの構成が採用されている。
その上で、本実施例のカメラでは、再結像光学系３０における撮像レンズ系３１は、物体側から順に、両凸レンズＬ３１1と物体側に凹面を向けた負メニスカスレンズＬ３１2との接合レンズと、絞りＳと、物体側に凸面を向けた負メニスカスレンズＬ３１3と、物体側に凸面を向けた正メニスカスレンズＬ３１4とで構成されている。なお、図６中、ＦＬは赤外カットフィルタや紫外カットフィルタなどのフィルタ、ＣＧはカバーガラス、ＩＭは第２撮像素子１４の撮像面である。
負メニスカスレンズＬ３１3と、正メニスカスレンズＬ３１4は、それぞれプラスチックレンズで構成されている。
その他、本実施例のカメラでは、第１撮像素子１２は４／３型、第２撮像素子１４は１／４型の大きさのものが用いられている。
【０１２７】
次に、図６に示した本実施例のカメラにおける再結像光学系３０を構成する光学部材の数値データを示す。
なお、数値データ中、ｆは焦点距離、ＦｎｏはＦナンバー、Ｓ0、Ｓ1、Ｓ2、・・・は面番号、ｒ0、ｒ1、ｒ2、・・・は光学部材の曲率半径、ｄ0、ｄ1、ｄ2、・・・は光学部材の面間隔（肉厚又は空気間隔）、ｎd0、ｎd1、ｎd2、・・・は光学部材のｄ線（λ＝５８７．６ｎｍ）での屈折率、νd0、νd1、νd2、・・・は光学部材のｄ線でのアッベ数、ｄ0は１次結像面から撮像レンズ系３１の第１面までの光軸上での距離である。これらは以下の各実施例の数値データにおいて共通である。
また、数値データの諸元表中、（非球面）を付した面は非球面形状の面である。非球面形状を表す式は、光軸に垂直な高さをＨ、面頂を原点としたときの高さＨにおける光軸方向の変位量をＸ（Ｈ）、近軸曲率半径をＲ、円錐係数をＫ、２次，４次，６次，８次，１０次の非球面係数をそれぞれＡ，Ｂ，Ｃ，Ｄ，Ｅとしたとき次式(4)で表される。
Ｘ（Ｈ）＝（Ｈ2／Ｒ）／｛１＋［１−（１＋Ｋ）・（Ｈ2／Ｒ2）］1/2｝
＋ＡＨ2＋ＢＨ4＋ＣＨ6＋ＤＨ8＋ＥＨ10              …(4)
【０１２８】
数値データ１（実施例１）第２の撮像手段（フレーミングモニタ用）の光学系（再結像光学系３０）
ｆ＝１０．５８ｍｍ
Ｆｎｏ＝２．７７
Ｓ0  ｒ0＝∞（１次結像面）  ｄ0＝67.00
Ｓ1  ｒ1＝7.801             ｄ1＝3.18   ｎd1＝1.51633   νd1＝64.14
Ｓ2  ｒ2＝-3.320            ｄ2＝0.70   ｎd2＝1.54814   νd2＝45.79
Ｓ3  ｒ3＝-28.993           ｄ3＝0.03
Ｓ4  ｒ4＝∞（絞り）        ｄ4＝5.47
Ｓ5  ｒ5＝3.4874            ｄ5＝1.00   ｎd5＝1.58423   νd5＝30.49
Ｓ6  ｒ6＝2.3412（非球面）  ｄ6＝1.16
Ｓ7  ｒ7＝2.8290（非球面）  ｄ7＝1.68   ｎd7＝1.52542   νd7＝55.78
Ｓ8  ｒ8＝4.6362            ｄ8＝1.78
Ｓ9  ｒ9＝∞                ｄ9＝0.75   ｎd9＝1.51633   νd9＝64.14
Ｓ10 ｒ10＝∞               ｄ10＝0.50
Ｓ11 ｒ11＝∞               ｄ11＝0.50  ｎd11＝1.51633   νd11＝64.14
Ｓ12 ｒ12＝∞               ｄ12＝0.37
Ｓ13 ｒ13＝∞（像面）
非球面係数
第６面（Ｓ6）
Ｒ＝2.3412       Ｋ＝-0.5159
Ａ＝0.0000×100  Ｂ＝-4.0713×10-4  Ｃ＝1.3256×10-3  Ｄ＝-4.2298×10-4
Ｅ＝7.4181×10-5
第７面（Ｓ7）
Ｒ＝2.8290       Ｋ＝-0.7874
Ａ＝0.0000×100  Ｂ＝-8.2674×10-4  Ｃ＝4.5775×10-4  Ｄ＝-4.6031×10-5
Ｅ＝4.3502×10-6
【実施例２】
【０１２９】
図８は本発明の実施例２にかかるカメラにおける再結像光学系３０の光学構成を示す光軸に沿う断面図であり、図９は図８に示した再結像光学系３０の諸収差図である。なお、図８では便宜上、光軸を直線に変換して光学構成を示してある。また、ミラーは省略し、実質的に撮像レンズ系３１の構成を示してある。また、球面収差と倍率色収差は、５８７．６ｎｍ（ｄ線：実線）、４８６．１ｎｍ（F線：点線）、６５６．３ｎｍ（Ｃ線：一点鎖線）の各波長における数値を示してある。
【０１３０】
本実施例のカメラも、基本的な光学部材の配置構成については、上記第１〜第３実施形態のいずれかの構成が採用されている。
その上で、本実施例のカメラでは、再結像光学系３０における撮像レンズ系３１は、物体側から順に、物体側に凸面を向けた正メニスカスレンズＬ３１1’と、絞りＳと、両凹レンズＬ３１2’と、両凸レンズＬ３１3’とで構成されている。なお、図８中、ＦＬは赤外カットフィルタや紫外カットフィルタなどのフィルタ、ＣＧはカバーガラス、ＩＭは第２撮像素子１４の撮像面である。
その他、本実施例のカメラでは、第１撮像素子１２は４／３型、第２撮像素子１４は１／４型の大きさのものが用いられている。
【０１３１】
次に、図８に示した本実施例の再結像光学系３０を構成する光学部材の数値データを示す。
数値データ２（実施例２）第２の撮像手段（フレーミングモニタ用）の光学系（再結像光学系３０）
ｆ＝１０．４２ｍｍ
Ｆｎｏ＝２．８５
Ｓ0  ｒ0＝∞（１次結像面）  ｄ0＝63.00
Ｓ1  ｒ1＝6.1409            ｄ1＝2.00   ｎd1＝1.72916  νd1＝54.68
Ｓ2  ｒ2＝139.8827（絞り）  ｄ2＝0.54
Ｓ3  ｒ3＝-17.8971          ｄ3＝1.80   ｎd3＝1.59270  νd3＝35.31
Ｓ4  ｒ4＝4.2153            ｄ4＝0.50
Ｓ5  ｒ5＝6.9968            ｄ5＝5.88   ｎd5＝1.72916  νd5＝54.68
Ｓ6  ｒ6＝-10.8500          ｄ6＝5.00
Ｓ7  ｒ7＝∞                ｄ7＝0.75   ｎd7＝1.51633  νd7＝64.14
Ｓ8  ｒ8＝∞                ｄ8＝0.50
Ｓ9  ｒ9＝∞                ｄ9＝0.50   ｎd9＝1.51633  νd9＝64.14
Ｓ10 ｒ10＝∞               ｄ10＝0.74
Ｓ11 ｒ11＝∞（像面）
【実施例３】
【０１３２】
図１０は本発明の実施例３にかかるカメラにおける再結像光学系３０の光学構成を示す光軸に沿う断面図であり、図１１は図１０に示した再結像光学系３０の諸収差図である。なお、図１０では便宜上、光軸を直線に変換して光学構成を示してある。また、ミラーは省略し、実質的に撮像レンズ系３１の構成を示してある。また、球面収差と倍率色収差は、５８７．６ｎｍ（ｄ線：実線）、４８６．１ｎｍ（F線：点線）、６５６．３ｎｍ（Ｃ線：一点鎖線）の各波長における数値を示してある。
【０１３３】
本実施例のカメラも、基本的な光学部材の配置構成については、上記第１〜第３実施形態のいずれかの構成が採用されている。
その上で、本実施例のカメラでは、再結像光学系３０における撮像レンズ系３１は、物体側から順に、絞りＳと、物体側に凸面を向けた正メニスカスレンズＬ３１1”と物体側に凸面を向けた正メニスカスレンズＬ３１2”とで構成されている。なお、図１０中、ＦＬは赤外カットフィルタや紫外カットフィルタなどのフィルタ、ＣＧはカバーガラス、ＩＭは第２撮像素子１４の撮像面である。
正メニスカスレンズＬ３１1”と、正メニスカスレンズＬ３１2”は、それぞれプラスチックレンズで構成されている。
その他、本実施例のカメラでは、第１撮像素子１２は４／３型、第２撮像素子１４は１／４型の大きさのものが用いられている。
【０１３４】
次に、図１０に示した本実施例の再結像光学系３０を構成する光学部材の数値データを示す。
数値データ３（実施例３）第２の撮像手段（フレーミングモニタ用）の光学系（再結像光学系３０）
ｆ＝９．９６ｍｍ
Ｆｎｏ＝２．８０
Ｓ0  ｒ0＝∞（１次結像面）  ｄ0＝64.00
Ｓ1  ｒ1＝∞（絞り）        ｄ1＝0.50
Ｓ2  ｒ2＝4.082（非球面）   ｄ2＝6.00  ｎd2＝1.52542  νd2＝55.78
Ｓ3  ｒ3＝2.927             ｄ3＝1.00
Ｓ4  ｒ4＝3.137（非球面）   ｄ4＝1.20  ｎd4＝1.52542  νd4＝55.78
Ｓ5  ｒ5＝12.169（非球面）  ｄ5＝3.40
Ｓ6  ｒ6＝∞                ｄ6＝0.75  ｎd6＝1.51633  νd6＝64.14
Ｓ7  ｒ7＝∞                ｄ7＝0.50
Ｓ8  ｒ8＝∞                ｄ8＝0.50  ｎd8＝1.51633  νd8＝64.14
Ｓ9  ｒ9＝∞                ｄ9＝0.71
Ｓ10 ｒ10＝∞（像面）
非球面係数
第２面（Ｓ2）
Ｒ＝4.0815       Ｋ＝-0.3784
第４面（Ｓ4）
Ｒ＝3.1372       Ｋ＝-0.7595
第５面（Ｓ5）
Ｒ＝12.169       Ｋ＝8.7922
【実施例４】
【０１３５】
図１２は本発明の実施例４にかかるカメラにおけるファインダ光学系２０の光学構成を示す光軸に沿う断面図であり、視度が−１ディオプタ（ｄｉｏｐｔｅｒ）であるときの状態を示している。なお、図１２では便宜上、光軸を直線に変換して光学構成を示してある。また、ミラーは省略し、実質的に接眼レンズ系２５の構成を示してある。
【０１３６】
本実施例のカメラも、基本的な光学部材の配置構成については、上記第１〜第３実施形態のいずれかの構成が採用されている。
また、本実施例のカメラでは、再結像光学系３０は、上記実施例１〜３のいずれかの構成が採用されている。
その上で、本実施例のカメラでは、ファインダ光学系２０における接眼レンズ系２５は、物体側から順に、物体側に凸面を向けた正メニスカスレンズＬ２５1と、両凸レンズＬ２５2と、両凹レンズＬ２５3とで構成されている。なお、図１２中、ＦＣは赤外カットフィルタや紫外カットフィルタなどのフィルタ及びカバーガラスとして機能する平行平板、ＥＰは射出瞳位置である。
正メニスカスレンズＬ２５1と両凹レンズＬ２５2は、視度調整のために光軸上を所定量移動可能に構成されている。
【０１３７】
次に、図１２に示した本実施例のファインダ光学系２０を構成する光学部材の数値データを示す。なお、視度調整範囲は、＋１．５ディオプタ〜−３．５ディオプタである。
数値データ４（実施例４）光学ファインダ用の光学系（ファインダ光学系２０）
ｆ＝3608.54(+1.5dpt)〜415.32(-1dpt)〜202.12(-3.5dpt)mm
Ｆｎｏ＝３．９１〜３．９４〜３．９５
Ｓ0    ｒ0＝∞（１次結像面）    ｄ0＝80.35
Ｓ1’  ｒ1’＝19.333            ｄ1＝7.10  ｎd1＝1.51633  νd1＝64.14
Ｓ2’  ｒ2’＝71.354            ｄ2＝（可変）
Ｓ3’  ｒ3’＝18.149（非球面）  ｄ3＝5.61  ｎd3＝1.52542  νd2＝55.78
Ｓ4’  ｒ4’＝-264.728          ｄ4＝（可変）
Ｓ5’  ｒ5’＝-88.178           ｄ5＝1.80  ｎd5＝1.58423  νd5＝30.49
Ｓ6’  ｒ6’＝12.438            ｄ6＝4.41
Ｓ7’  ｒ7’＝∞                ｄ7＝１.20  ｎd7＝1.51633  νd7＝64.14
Ｓ8’  ｒ8’＝∞                ｄ8＝16.67
Ｓ9’  ｒ9’＝∞（観察者の瞳）
非球面係数
第３面（Ｓ3’）
Ｒ＝18.1494         Ｋ＝0.0000
Ａ＝0.0000×100     Ｂ＝-2.1895×10-5    Ｃ＝-6.7082×10-8
Ｄ＝-4.9542×10-10  Ｅ＝0.0000×100
0004837380.tif 000002
【０１３８】
次に、上記本発明の各実施例のカメラにおける条件式パラメータを次の表１〜表５に示す。
【表１】
0004837380.tif 000003
ただし、アイポイントは、ファインダ光学系２０の最終面から２２．３ｍｍとしたときの値である。
【０１３９】
【表２】
0004837380.tif 000004
【０１４０】
【表３】
0004837380.tif 000005
【図面の簡単な説明】
【０１４１】
【図１】本発明の第１実施形態にかかるカメラにおける撮影前の被写体観察時の光学部材の配置関係を示す概略構成図である。
【図２】図１のカメラにおける被写体撮影時の光学部材の配置関係を示す概略構成図である。
【図３】本発明の第２実施形態にかかるカメラにおける光学部材の配置関係を示す概略構成図である。
【図４】本発明の第３実施形態にかかるカメラにおける光学ファインダで被写体を観察するときの光学部材の配置関係を示す概略構成図である。
【図５】図４のカメラにおける第２撮像素子で撮像された被写体像をモニタ観察するときの光学部材の配置関係を示す概略構成図である。
【図６】本発明の実施例１にかかるカメラにおける再結像光学系３０の光学構成を示す光軸に沿う断面図である。
【図７】図６に示した再結像光学系３０の諸収差図である。
【図８】本発明の実施例２にかかるカメラにおける再結像光学系３０の光学構成を示す光軸に沿う断面図である。
【図９】図８に示した再結像光学系３０の諸収差図である。
【図１０】本発明の実施例３にかかるカメラにおける再結像光学系３０の光学構成を示す光軸に沿う断面図である。
【図１１】図１０に示した再結像光学系３０の諸収差図である。
【図１２】本発明の実施例４にかかるカメラにおけるファインダ光学系２０の光学構成を示す光軸に沿う断面図であり、視度が−１ディオプタ（ｄｉｏｐｔｅｒ）であるときの状態を示している。
【符号の説明】
【０１４２】
１１          撮影レンズ
１２          第１撮像素子
１３，１３’  第1反射ミラー
１３ａ        軸
１４          第２撮像素子
２０          ファインダ光学系
２１          スクリーンマット（１次結像面）
２２          第２反射ミラー
２３          第３反射ミラー
２４，２４’  第４反射ミラー
２４ａ’      軸
２５          接眼レンズ系
３０          再結像光学系
３１          撮像レンズ系
３２          ミラー
４１          撮影情報表示手段
４２          合焦箇所表示手段
５１          測光レンズ
５２          測光用撮像素子
Ｌ２５1       物体側に凸面を向けた正メニスカスレンズ
Ｌ２５2       両凸レンズ
Ｌ２５3       両凹レンズ
Ｌ３１1       両凸レンズ
Ｌ３１1’     物体側に凸面を向けた正メニスカスレンズ
Ｌ３１1”     物体側に凸面を向けた正メニスカスレンズ
Ｌ３１2       物体側に凹面を向けた負メニスカスレンズ
Ｌ３１2’     両凹レンズ
Ｌ３１2”     物体側に凸面を向けた正メニスカスレンズ
Ｌ３１3       物体側に凸面を向けた負メニスカスレンズ
Ｌ３１3’     両凸レンズ
Ｌ３１4       物体側に凸面を向けた正メニスカスレンズ
ＦＬ          フィルタ
ＦＣ          フィルタ及びカバーガラスとして機能する平行平板
ＣＧ          カバーガラス
ＩＭ          第２撮像素子１４の撮像面
Ｓ            絞り
ＥＰ          射出瞳位置
【図１】
0004837380.tif 000006
【図２】
0004837380.tif 000007
【図３】
0004837380.tif 000008
【図４】
0004837380.tif 000009
【図５】
0004837380.tif 000010
【図６】
0004837380.tif 000011
【図７】
0004837380.tif 000012
【図８】
0004837380.tif 000013
【図９】
0004837380.tif 000014
【図１０】
0004837380.tif 000015
【図１１】
0004837380.tif 000016
【図１２】
0004837380.tif 000017